【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
不随意筋収縮の治療のためのシステムであって、
内部接触面を有し、対象者の肢の第１の部分を少なくとも部分的に取り囲むように構成されたウェアラブルインターフェースと、
前記ウェアラブルインターフェースにより支持され、前記対象者の前記肢に振動エネルギーおよび電気刺激エネルギーを印加するように構成されたエネルギーアプリケータと、
を備えるシステム。
【請求項２】
前記振動エネルギーが、前記ウェアラブルインターフェースによって支持された１つ以上の圧電素子によって提供される、請求項１に記載のシステム。
【請求項３】
前記１つ以上の圧電素子のうちの少なくとも１つが、２０ｋＨｚ〜１ＭＨｚの周波数で振動するように構成されている、請求項２に記載のシステム。
【請求項４】
前記１つ以上の圧電素子が、第１の周波数で振動するように構成された第１の圧電素子と、前記第１の周波数とは異なる第２の周波数で振動するように構成された第２の圧電素子と、を備える、請求項２に記載のシステム。
【請求項５】
前記第１の周波数が１Ｈｚ〜３０Ｈｚであり、前記第２の周波数が２０ｋＨｚ〜１ＭＨｚである、請求項４に記載のシステム。
【請求項６】
前記電気刺激エネルギーが、前記ウェアラブルインターフェースにより支持された１つ以上の電極により提供される、請求項１に記載のシステム。
【請求項７】
前記エネルギーアプリケータの動作を制御するように構成された制御ユニットをさらに備える、請求項１に記載のシステム。
【請求項８】
前記制御ユニットがプログラム可能である、請求項７に記載のシステム。
【請求項９】
前記制御ユニットが、前記エネルギーアプリケータの動作を経時的に修正するように構成されている、請求項７に記載のシステム。
【請求項１０】
前記ウェアラブルインターフェースにより支持され、前記肢内の筋収縮に関連する信号を出力するように構成されたセンサをさらに備える、請求項７に記載のシステム。
【請求項１１】
前記制御ユニットが、前記センサにより出力される前記信号の測定された変化に少なくとも部分的に基づいて、前記エネルギーアプリケータの動作を修正するように構成されている、請求項１０に記載のシステム。
【請求項１２】
前記制御ユニットが、前記センサにより出力される前記信号の振幅の変化に応答して、前記エネルギーアプリケータにより印加されるエネルギーの振幅または周波数の少なくとも一方を変化させるように構成されている、請求項１１に記載のシステム。
【請求項１３】
前記制御ユニットが、前記センサにより出力される前記信号の振幅の増加に応答して、前記エネルギーアプリケータにより印加されるエネルギーの振幅または周波数の少なくとも一方を増加させるように構成されている、請求項１１に記載のシステム。
【請求項１４】
前記制御ユニットが、前記対象者の前記肢における振戦の振幅、強度および／または出現率に比例する方法で前記エネルギーアプリケータの動作を修正するように構成されている、請求項１１〜１３のいずれか一項に記載のシステム。
【請求項１５】
１つ以上の患者活動特性を記憶するように構成されたメモリをさらに備える、請求項１０〜１４のいずれか一項に記載のシステム。
【請求項１６】
前記１つ以上の患者活動特性が、食べる、飲む、歩く、走る、寝る、起きている間に休む、座る、話す、瞑想する、タイピングする、および書くことのうちの１つ以上を含む、請求項１５に記載のシステム。
【請求項１７】
前記電気刺激エネルギーが、前記ウェアラブルインターフェースにより支持された１つ以上の電極により供給され、前記制御ユニットが、前記１つ以上の電極の１つ以上のパラメータを増加または減少させるように構成されている、請求項１０〜１６のいずれか一項に記載のシステム。
【請求項１８】
前記１つ以上のパラメータが、電圧、電流、周波数、およびパルス幅からなるリストから選択される少なくとも１つのパラメータを含む、請求項１７に記載のシステム。
【請求項１９】
前記制御ユニットが、二相性正弦波、多相性波、単相性正弦波、二相性脈動性正弦波、二相性矩形波、単相性方形波、単相性脈動性矩形波、二相性スパイク波、単相性スパイク波、および単相性脈動性スパイク波からなるリストから選択される１つ以上のパターンで前記１つ以上の電極を作動させるように構成されている、請求項１７または１８に記載のシステム。
【請求項２０】
前記制御ユニットが、前記対象者に合わせて構築または適合された個別の治療計画を提供するように構成されている、請求項７〜１９のいずれか一項に記載のシステム。
【請求項２１】
不随意筋収縮を治療するためのシステムであって、
内部接触面を有し、対象者の肢の第１の部分を少なくとも部分的に取り囲むように構成されたウェアラブルインターフェースと、
前記ウェアラブルインターフェースにより支持され、前記対象者の前記肢にエネルギーを印加するように構成されたエネルギーアプリケータと、
前記エネルギーアプリケータの動作を制御するように構成された制御ユニットと、
前記ウェアラブルインターフェースにより支持され、前記肢内の筋収縮に関連する信号を出力するように構成されたセンサと、を備え、前記制御ユニットが、前記センサにより出力される前記信号の測定された変化に少なくとも部分的に基づいて前記エネルギーアプリケータの動作を修正するように構成されている、システム。
【請求項２２】
前記エネルギーアプリケータが、１つ以上の形態の機械的エネルギーを前記対象者の前記肢に印加するように構成されている、請求項２１に記載のシステム。
【請求項２３】
前記制御ユニットがプログラム可能である、請求項２１または２２に記載のシステム。
【請求項２４】
前記制御ユニットが、前記エネルギーアプリケータの動作を経時的に修正するように構成されている、請求項２１〜２３のいずれか一項に記載のシステム。
【請求項２５】
前記エネルギーアプリケータの動作の経時的な前記修正が、印加される振動エネルギーの量を変化させることを含む、請求項２４に記載のシステム。
【請求項２６】
前記エネルギーアプリケータの動作の経時的な前記修正が、印加される電気刺激エネルギーの量を変化させることを含む、請求項２４に記載のシステム。
【請求項２７】
前記制御ユニットが、前記ウェアラブルインターフェースにより支持されている、請求項２１〜２６のいずれか一項に記載のシステム。
【請求項２８】
前記制御ユニットが、エネルギーの印加の後に前記センサにより出力される信号が、エネルギーの前記印加の前に前記センサにより出力される前記信号の８０パーセント未満である場合に、前記エネルギーアプリケータにより出力されるパワーを低減するように構成されているかまたは構成可能可能である、請求項２１〜２７のいずれか一項に記載のシステム。
【請求項２９】
前記制御ユニットが、エネルギーの前記印加の後に前記センサにより出力される信号が、エネルギーの前記印加の前に前記センサにより出力される前記信号の５０パーセント未満である場合に、前記エネルギーアプリケータにより出力されるパワーを低減するように構成されているかまたは構成可能可能である、請求項２８に記載のシステム。
【請求項３０】
前記制御ユニットが、エネルギーの前記印加の後に前記センサにより出力される信号が、エネルギーの前記印加の前に前記センサにより出力される前記信号の２０パーセント未満である場合に、前記エネルギーアプリケータにより出力されるパワーを低減するように構成されているかまたは構成可能可能である、請求項２９に記載のシステム。
【請求項３１】
前記制御ユニットが、エネルギーの前記印加の後に前記センサにより出力される信号が、エネルギーの前記印加の前に前記センサにより出力される前記信号の１０パーセント未満である場合に、前記エネルギーアプリケータにより出力されるパワーを低減するように構成されているかまたは構成可能可能である、請求項３０に記載のシステム。
【請求項３２】
前記センサがジャイロスコープを備え、前記センサにより出力される前記信号が、前記対象者の前記肢の角速度に対応する、請求項２８〜３１のいずれか一項に記載のシステム。
【請求項３３】
前記制御ユニットが、前記エネルギーアプリケータにより出力されるパワーレベルを変化させるように構成されているかまたは構成可能可能である、請求項２１〜２７のいずれか一項に記載のシステム。
【請求項３４】
前記制御ユニットが、前記エネルギーアプリケータにより出力される信号の周波数を変化させるように構成されているかまたは構成可能可能である、請求項２１〜２７のいずれか一項に記載のシステム。
【請求項３５】
前記制御ユニットが、前記エネルギーアプリケータにより出力されるエネルギーの印加の持続時間を変化させるように構成されているかまたは構成可能可能である、請求項２１〜２７のいずれか一項に記載のシステム。
【請求項３６】
前記制御ユニットが、前記エネルギーアプリケータにより出力される信号の振幅を変化させるように構成されているかまたは構成可能可能である、請求項２１〜２７のいずれか一項に記載のシステム。
【請求項３７】
前記制御ユニットが、患者活動特性に少なくとも部分的に基づいて前記エネルギーアプリケータの動作を制御するように構成されている、請求項２１〜２７のいずれか一項に記載のシステム。
【請求項３８】
少なくとも１つの患者活動特性を記憶するように構成されたメモリユニットをさらに備える、請求項３７に記載のシステム。
【請求項３９】
前記患者活動特性が、食べる、飲む、歩く、走る、寝る、起きている間に休む、座る、話す、瞑想する、タイピングする、および書くことのうちの少なくとも１つに関連する、請求項３７に記載のシステム。
【請求項４０】
前記ウェアラブルインターフェースにより支持され、無線通信用に構成されたトランシーバをさらに備える、請求項２１に記載のシステム。
【請求項４１】
不随意筋収縮を治療するためのシステムであって、
内部接触面を有し、対象者の肢の第１の部分を少なくとも部分的に取り囲むように構成されたウェアラブルインターフェースと、
前記ウェアラブルインターフェースにより支持され、前記対象者の前記肢に２種類以上のエネルギーを印加するように構成されたエネルギーアプリケータと、
前記エネルギーアプリケータの動作を制御するように構成された制御ユニットであって、前記対象者に合わせて構築または適合された個別の治療計画を提供するように構成されている、制御ユニットと、
を備えるシステム。
【請求項４２】
前記ウェアラブルインターフェースにより支持され、前記肢内の筋収縮に関連する信号を出力するように構成されたセンサをさらに備える、請求項４１に記載のシステム。
【請求項４３】
前記２種類以上のエネルギーが、少なくとも１種類の機械的エネルギーおよび少なくとも１種類の電気エネルギーを含む、請求項４１または４２に記載のシステム。
【請求項４４】
前記システムが圧縮を含まない、請求項４３に記載のシステム。
【請求項４５】
前記個別の治療計画が、朝、昼間、および夕方のうちのいずれかに特定の治療を提供するように構成されている、請求項４１〜４４のいずれか一項に記載のシステム。
【請求項４６】
前記制御ユニットが、前記個別の治療計画を変更するように構成されている、請求項４１〜４５のいずれか一項に記載のシステム。
【請求項４７】
前記制御ユニットが、振動エネルギーの印加の振幅を増加させ、電気刺激エネルギーの印加の振幅を減少させるように構成されている、請求項４６に記載のシステム。
【請求項４８】
前記制御ユニットが、電気刺激エネルギーの印加の振幅を増加させ、振動エネルギーの印加の振幅を減少させるように構成されている、請求項４６に記載のシステム。
【請求項４９】
前記制御ユニットが、振動エネルギーの印加の持続時間を増加させ、電気刺激エネルギーの印加の持続時間を減少させるように構成されている、請求項４６に記載のシステム。
【請求項５０】
前記制御ユニットが、電気刺激エネルギーの印加の持続時間を増加させ、振動エネルギーの印加の持続時間を減少させるように構成されている、請求項４６に記載のシステム。
【請求項５１】
前記システムが前記対象者の振戦症状に対応して学習できるように構成されたエネルギー変調アルゴリズムをさらに備える、請求項４７〜５０のいずれか一項に記載のシステム。
【請求項５２】
前記制御ユニットが、前記２種類以上のエネルギーのうちの１つのパワーを低減するように構成されている、請求項４１〜４４のいずれか一項に記載のシステム。
【請求項５３】
前記制御ユニットが、前記２種類以上のエネルギーのうちの２つのパワーを低減するように構成されている、請求項５２に記載のシステム。
【請求項５４】
前記制御ユニットが、患者活動特性に少なくとも部分的に基づいて前記エネルギーアプリケータの動作を制御するように構成されている、請求項４１〜４４のいずれか一項に記載のシステム。
【請求項５５】
少なくとも１つの患者活動特性を記憶するように構成されたメモリユニットをさらに備える、請求項５４に記載のシステム。
【請求項５６】
前記患者活動特性が、食べる、飲む、歩く、走る、寝る、起きている間に休む、座る、話す、瞑想する、タイピングする、および書くことのうちの少なくとも１つに関連する、請求項５４に記載のシステム。
【請求項５７】
前記ウェアラブルインターフェースにより支持され、無線通信用に構成されたトランシーバをさらに備える、請求項４１に記載のシステム。
【請求項５８】
前記２種類以上のエネルギーが電気刺激エネルギーを含み、前記電気刺激エネルギーが、前記ウェアラブルインターフェースにより支持された１つ以上の電極により供給され、前記制御ユニットが、前記１つ以上の電極の１つ以上のパラメータを増加または減少させるように構成されている、請求項４１〜４４のいずれか一項に記載のシステム。
【請求項５９】
前記１つ以上のパラメータが、電圧、電流、周波数、およびパルス幅からなるリストから選択される少なくとも１つのパラメータを含む、請求項５８に記載のシステム。
【請求項６０】
前記制御ユニットが、二相性正弦波、多相性波、単相性正弦波、二相性脈動性正弦波、二相性矩形波、単相性方形波、単相性脈動性矩形波、二相性スパイク波、単相性スパイク波、および単相性脈動性スパイク波からなるリストから選択される１つ以上のパターンで前記１つ以上の電極を作動させるように構成されている、請求項５８または５９に記載のシステム。
【請求項６１】
前記２種類以上のエネルギーが振動エネルギーを含み、前記振動エネルギーが、前記ウェアラブルインターフェースにより支持された１つ以上の圧電素子により供給される、請求項４１〜４４のいずれか一項に記載のシステム。
【請求項６２】
前記１つ以上の圧電素子の少なくとも１つが、２０ｋＨｚ〜１ＭＨｚの周波数で振動するように構成されている、請求項６１に記載のシステム。
【請求項６３】
前記１つ以上の圧電素子が、第１の周波数で振動するように構成された第１の圧電素子と、前記第１の周波数とは異なる第２の周波数で振動するように構成された第２の圧電素子とを備える、請求項６１に記載のシステム。
【請求項６４】
前記第１の周波数が１Ｈｚ〜３０Ｈｚであり、前記第２の周波数が２０ｋＨｚ〜１ＭＨｚである、請求項６３に記載のシステム。
【請求項６５】
前記ウェアラブルインターフェースが、前記対象者の手首を少なくとも部分的に取り囲むように構成されたリストバンドを備える、請求項１〜６４のいずれか一項に記載のシステム。
【請求項６６】
前記エネルギーアプリケータが、前記内部接触面に隣接して支持され、前記対象者の前記手首の皮膚に接触するように構成されている、請求項６５に記載のシステム。
【請求項６７】
前記エネルギーアプリケータが、エネルギーをパルス状に印加するように構成されている、請求項１〜６６のいずれか一項に記載のシステム。